(57)【要約】      （修正有）【課題】コーヒー抽出用ネルフイルターを装着するリングとリングを支えるスタンドで構成するコーヒードリッパーのリングに簡単に装着でき、また安価に提供できる折り線付きコーヒー抽出用ペーパーフイルターを提供する。【解決手段】折り線付きコーヒー抽出用ペーパーフイルター３は、開口部を底に立てた状態で円錐形のコーヒー抽出用ペーパーフイルターを装着するリングを水平に落とし込んだときに接する部分に折り線となる波線の切り込み２、又は筋押し加工を施し、折り線を基に折り線付きコーヒー抽出用ペーパーフイルター３の開口部の周囲を外側に折り返してＶ字形の溝４をつくり、Ｖ字形の溝４にリングをあてがい開口部の外側の周囲部分でリングを包み込むように押さえ込み、押さえ込んだ折り線付きコーヒー抽出用ペーパーフイルター３を下向きにコーヒードリッパーのスタンドのリングの装着開口部の上に設置し折り線付きコーヒー抽出用ペーパーフイルター３の内側を上から円錐形に押し広げ装着する。【選択図】図２
0003230333.tif 000002
【実用新案登録請求の範囲】
【請求項１】
円錐形のコーヒー抽出用ペーパーフイルターを装着するためのリングとリングを支えるスタンドで構成するコーヒードリッパーで使用する円錐形のコーヒー抽出用ペーパーフイルターにおいて、円錐形のコーヒー抽出用ペーパーフイルターの開口部を底に立てた状態で円錐形のコーヒー抽出用ペーパーフイルターを装着するリングを水平に落とし込んだときに接する部分に折り線となる波線の切り込み、又は筋押し加工を施し、折り線を基に折り線付きコーヒー抽出用フイルターの開口部の周囲を外側に折り返してＶ字形の溝をつくり、折り線付きコーヒー抽出用ペーパーフイルターを装着するリングをＶ字形の溝に落とし込み折り線付きコーヒー抽出用ペーパーフイルターの開口部の外側の周囲部分でリングを包み込むように押さえ込み、押さえ込んだ折り線付きコーヒー抽出用ペーパーフイルターを下向きにコーヒードリッパーのスタンドのリング装着開口部の上に設置し折り線付きコーヒー抽出用ペーパーフイルターの内側を上から円錐形に押し広げ装着する使用例の一例で、円錐形のコーヒー抽出用ペーパーフイルターの開口部の周辺に任意の位置に折り線となる波線の切り込み、又は筋押し加工を施し、折り線を基に折り線付きコーヒー抽出用ペーパーフイルターの開口部の周囲を外側に折り返してＶ字形の溝をできるようにしたことを特長とした折り線付きコーヒー抽出用ペーパーフイルター。
【考案の詳細な説明】
【技術分野】
【０００１】本考案は、ハンドドリップ式コーヒードリッパーに使用するペーパーフイルターに関するものである。
【背景技術】
【０００２】従来より、ハンドドリップ式コーヒードリッパーに使用するペーパーフイルターは、使用時の形状が円錐形や、円錐形の底のあたる部分をカットした台形状のもの、側面を波形状の加工した商品があり、また折り畳んだ状態のペーパーフイルターを広げやすくするために開口部に小さなつまみ部分を施したペーパーフイルターがある。
また、フイルターを装着するリングとフイルターを装着したリングを受け支えるスタンドで構成するコーヒードリッパーで、コーヒー抽出用ネルフイルターの装着構造体（特許文献１参考）の考案がある。
【先行技術分野】
【０００３】
【特許文献】
【０００４】
【特許文献１】特許文献１実用新案登録第３２２２５０３号
【考案が解決しようとする課題】
【０００５】ハンドドリップ式コーヒードリッパーにおいて、ネルフイルターを装着するリングとネルフイルターを装着したリングを受け支えるドリッパーのスタンドで構成するコーヒードリッパーに、ペーパーフイルターを装着できるようにし一台のコーヒードリッパーでネルフイルターとペーパーフイルターの２種類のフイルターを使い分けができるようにしコーヒーを抽出し味わう楽しみを一般顧客に提供する。
【課題を解決するための手段】
【０００６】本考案にかかる円錐形のコーヒー抽出用ペーパーフイルターにおいて、円錐形のコーヒー抽出用ペーパーフイルターを装着するリングに円錐形のコーヒー抽出用ペーパーフイルターを装着しやすくするために円錐形のコーヒー抽出用ペーパーフイルターの開口部を底に立てた状態で円錐形のコーヒー抽出用ペーパーフイルターを装着するリングを水平に落とし込んだときに接する部分に折り線となる波線の切り込み、又は筋押し加工を施し、折り線を基に折り線付きコーヒー抽出用ペーパーフイルターの開口部の周囲を外側に折り返し、折り返してできたＶ字形の溝にリングをあてがい開口部の外側の周囲部分でリングを包み込むように押さえ込み、押さえ込んだ折り線付きコーヒー抽出用ペーパーフイルターを下向きにコーヒードリッパーのスタンドのリング装着開口部の上に設置し、折り線付きコーヒー抽出用ペーパーフイルターの内側を上から円錐形に押し広げコーヒードリッパーのスタンドに装着する。
【考案を実施するための形態】
【０００７】以下に、本考案にかかる折り線付きコーヒー抽出用ペーパーフイルターを、その実施の形態を示した図面に基づいて詳細に説明する。
図１は折り線付きコーヒー抽出用ペーパーフイルターの接合部分を接合加工する前の平面図で、折り線となる波線の切り込み、又は筋押し加工を施した折り線付きコーヒー抽出用ペーパーフイルターである。
図２は折り線加工を施した折り線付きコーヒー抽出用ペーパーフイルターを折り線を基に開口部の周囲を外側に折り返し、開口部の周囲にＶ字形の溝を施した斜視図である。
【考案の効果】
【０００８】円錐形のコーヒー抽出用ペーパーフイルターに折り線加工を施すことで、コーヒードリッパーを構成する１つの部材である円錐形のコーヒー抽出用ペーパーフイルターを装着するためのリングに簡単に装着することができ、また円錐形のコーヒー抽出用ペーパーフイルターを受け支える方式のドリッパーが不要で洗浄が簡単で安価に一般顧客に提供できる。
【図面の簡単な説明】
【０００９】
【図１】図１は本考案にかかる円錐形のコーヒー抽出用ペーパーフイルターに折り線加工を施し接合加工前の実施例の一例の正面図である。
【図２】図２前記折り線付きコーヒー抽出用ペーパーフイルターを組立て折り線加工を基に開口部の周囲を外側に折り返し底から見た斜視図である。
【符号の説明】１接合組立前の折り線付きコーヒー抽出用ペーパーフイルター
２折り線加工の波線状の切り込み
３折り線付きコーヒー抽出用ペーパーフイルター
４Ｖ字形の溝
５接合部
６プレス接合部
７接合部接合用折り線
【図１】
0003230333.tif 000003
【図２】
0003230333.tif 000004
【手続補正書】
【提出日】令和2年10月22日(2020.10.22)
【手続補正１】
【補正対象書類名】実用新案登録請求の範囲
【補正対象項目名】全文
【補正方法】変更
【補正の内容】
【実用新案登録請求の範囲】
【請求項１】
円錐形のコーヒー抽出用ペーパーフイルターを装着するためのリングとリングを支えるスタンドで構成するコーヒードリッパーで使用する円錐形のコーヒー抽出用ペーパーフイルターにおいて、円錐形のコーヒー抽出用ペーパーフイルターの開口部を底に立てた状態で円錐形のコーヒー抽出用ペーパーフイルターを装着するリングを水平に落とし込んだときに接する部分に折り線となる波線の切り込み、又は筋押し加工を施し、折り線を施した折り線を基に折り線付きコーヒー抽出用フイルターの開口部の周囲を外側に折り返してＶ字形の溝をつくり、折り線付きコーヒー抽出用ペーパーフイルターを装着するリングをＶ字形の溝に落とし込み折り線付きコーヒー抽出用ペーパーフイルターの開口部の外側の周囲部分でリングを包み込むように押さえ込み、押さえ込んだ折り線付きコーヒー抽出用ペーパーフイルターを下向きにコーヒードリッパーのスタンドのリング装着開口部の上に設置し折り線付きコーヒー抽出用ペーパーフイルターの内側を上から円錐形に押し広げ装着する使用例の一例で、円錐形のコーヒー抽出用ペーパーフイルターの開口部を底に立てた状態で円錐形のコーヒー抽出用ペーパーフイルターを装着するリングを水平に落とし込んだときに接する部分に折り線となる波線の切り込み、又は筋押し加工を施し、または任意の位置に折り線となる波線の切り込み、又は筋押し加工を施し、折り線を施した折り線を基に折り線付きコーヒー抽出用ペーパーフイルターの開口部の周囲を外側に折り返してＶ字形の溝をできるようにしたことを特長とした折り線付きコーヒー抽出用ペーパーフイルター。